(57)【要約】【課題】対向して接続された通信装置間の信号を取得すること。【解決手段】第１の通信装置と、該第１の通信装置と対向して接続される第２の通信装置との間で送受信されるデータを取得する解析信号取得デバイスは、第１の通信装置からの光信号を変換した電気信号を分岐し、一方の電気信号からデータを取得するとともに前記第２の通信装置へ他方の電気信号を光信号に変換して出力するデータ取得部を有する。【選択図】図１４
2015005232.tif 000002
【特許請求の範囲】
【請求項１】
第１の通信装置と、該第１の通信装置と対向して接続される第２の通信装置との間で送受信されるデータを取得する解析信号取得デバイスであって、
前記第１の通信装置からの光信号を変換した電気信号を分岐し、一方の電気信号からデータを取得するとともに前記第２の通信装置へ他方の電気信号を光信号に変換して出力するデータ取得部
を有する、解析信号取得デバイス。
【請求項２】
前記第１の通信装置からの光信号を電気信号へ変換する第１の光モジュールと、
前記データ取得部からの電気信号を光信号へ変換し、該光信号を前記第２の通信装置へ出力する第２の光モジュールと
を備え、
前記データ取得部は、前記第１の光モジュールからの電気信号を分岐し、一方の電気信号からデータを取得するとともに、前記第２の光モジュールへ他方の電気信号を出力する、請求項１に記載の解析信号取得デバイス。
【請求項３】
第１の通信装置と、該第１の通信装置と対向して接続される第２の通信装置との間で送受信されるデータを取得する解析信号取得デバイスであって、
前記第１の通信装置からの電気信号を分岐し、一方の電気信号からデータを取得するとともに、前記第２の通信装置へ他方の電気信号を光信号に変換して出力するデータ取得部
を有する、解析信号取得デバイス。
【請求項４】
前記データ取得部はインターポーザを含む、請求項１ないし３のいずれか1項に記載の解析信号取得デバイス。
【請求項５】
第１の通信装置と、該第１の通信装置と対向して接続される第２の通信装置との間で送受信されるデータを取得する解析信号取得デバイスであって、
前記第１の通信装置からの光信号を電気信号へ変換する第１の光モジュールと、
該第１の光モジュールからの電気信号が分岐された一方の電気信号を取得する第１の信号プローブと、
前記第１の光モジュールからの電気信号が分岐された他方の電気信号を光信号へ変換し、該光信号を前記第２の通信装置へ出力する第２の光モジュールと、
前記第１の通信装置からの電気信号が分岐された一方の電気信号を取得する第２の信号プローブと
を備え、
前記第１の通信装置からの電気信号が分岐された他方の電気信号は前記第２の通信装置へ出力される、解析信号取得デバイス。
【請求項６】
第１の通信装置と、
該第１の通信装置と対向して接続される第２の通信装置と、
前記第１の通信装置と前記第２の通信装置との間で送受信されるデータを取得する解析信号取得デバイスと
を備え、
前記解析信号取得デバイスは、
前記第１の通信装置からの光信号を変換した電気信号を分岐し、一方の電気信号からデータを取得するとともに前記第２の通信装置へ他方の電気信号を光信号に変換して出力するデータ取得部
を有する、通信システム。
【請求項７】
第１の通信装置と、
該第１の通信装置と接続される第２の通信装置と、
前記第１の通信装置と前記第２の通信装置との間で送受信されるデータを取得する解析信号取得デバイスと
を備え、
前記解析信号取得デバイスは、
前記第１の通信装置からの光信号を電気信号へ変換する第１の光モジュールと、
該第１の光モジュールからの電気信号が分岐された一方の電気信号を取得する第１の信号プローブと、
前記第１の光モジュールからの電気信号が分岐された他方の電気信号を光信号へ変換し、該光信号を前記第２の通信装置へ出力する第２の光モジュールと、
前記第１の通信装置からの電気信号が分岐された一方の電気信号を取得する第２の信号プローブと
を備える、通信システム。
【発明の詳細な説明】
【技術分野】
【０００１】
本発明は、通信システムに関する。
【背景技術】
【０００２】
PCI Express等の高速シリアル通信規格は、電気信号による伝送を前提としたものが多い。電気信号を取り込んでデータ処理を行うことにより、システム解析や、エラー解析等を行うプロトコルアナライザが計測器ベンダから提供されている。
【０００３】
対向して光ケーブルで接続された通信装置間の通信経路上の光信号を取得し、解析処理を行うプロトコルアナライザは提供されていない。
【０００４】
従って、光信号に変換される直前の電気信号線をプロービングすることでプロトコル解析を行う。
【０００５】
PCI Expressプロトコルアナライザが知られている（例えば、非特許文献１参照）。
【発明の概要】
【発明が解決しようとする課題】
【０００６】
光信号へ変換される直前の電気信号をプロービングするには、プロービング用のパッドを設ける必要がある。プロービング用のパッドを設ける場合、プロービング用のパッドへの半田付けの手間やプローブ線の取り回し等の手間や煩わしさが発生する。
【０００７】
さらに、プロービングやパッドの存在自体が、高速通信における信号品質の劣化を招くおそれがある。
【０００８】
そこで、本発明は、対向して光ケーブルで接続された通信装置間の信号を取得することを目的とする。
【課題を解決するための手段】
【０００９】
開示の解析信号取得デバイスは、
第１の通信装置と、該第１の通信装置と対向して接続される第２の通信装置との間で送受信されるデータを取得する解析信号取得デバイスであって、
前記第１の通信装置からの光信号を変換した電気信号を分岐し、一方の電気信号からデータを取得するとともに前記第２の通信装置へ他方の電気信号を光信号に変換して出力するデータ取得部
を有する。
【発明の効果】
【００１０】
開示の実施例によれば、対向して光ケーブルで接続された通信装置間の信号を取得することができる。
【図面の簡単な説明】
【００１１】
【図１】通信システムの一例を示す図である。
【図２】拡張カード（その１）の一実施例を示す図である。
【図３】通信システムの一例を示す図である。
【図４】拡張カード（その２）の一実施例を示す図である。
【図５】通信システムの一例を示す図である。
【図６】通信システムの一例を示す図である。
【図７】インターポーザの一例を示す図である。
【図８】インターポーザの接続例（その１）を示す図である。
【図９】インターポーザの接続例（その２）を示す図である。
【図１０】通信システムの一実施例（その１）を示す図である。
【図１１】通信システムの一実施例（その２）を示す図である。
【図１２】通信システムの一実施例（その３）を示す図である。
【図１３】通信システムの一実施例（その４）を示す図である。
【図１４】解析信号取得デバイスの一実施例を示す図である。
【図１５】通信システムの一実施例（その５）を示す図である。
【図１６】通信システムの一実施例（その６）を示す図である。
【図１７】通信システムの一実施例（その７）を示す図である。
【図１８】通信システムの一実施例（その８）を示す図である。
【図１９】通信トラヒックを解析する際の通信システムの一例を示す図である。
【発明を実施するための形態】
【００１２】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１３】
＜実施例＞
＜通信システム＞
図１は、通信システムの一例を示す。
【００１４】
通信システムは、第１の通信装置としての第１のホストPC１００と、第２の通信装置としての第２のホストPC３００とを備える。第１のホストPC１００、第２のホストPC３００の代わりに、サーバを使用してもよい。
【００１５】
第１のホストPC１００は第１の拡張カード２００を備え、第２のホストPC３００は第２の拡張カード４００を備える。第１のホストPC１００と第２のホストPC３００との間は、通信線５０を介して接続される。
【００１６】
通信システムの一実施例では、対向して光ケーブルで接続された通信装置間の光通信経路を２つに分割し、一方に光信号を電気信号に変換する光モジュールなどのデバイスと接続する。
【００１７】
該デバイスはインターポーザなどの電気信号を取り出すデバイスに接続され、該デバイスから電気信号が取り出される。電気信号を取り出すことにより、プロトコル解析が可能となる。
【００１８】
以下、具体的に説明する。
【００１９】
＜第１の拡張カード２００（その１）＞
図２は、第１の拡張カード２００の一実施例を示す。第２の拡張カード４００は、第１の拡張カード２００と略同一である。
【００２０】
第１の拡張カード２００の一実施例は、ピーシーアイエクスプレス(PCIe: PCI Express)プロトコルに従って、データ通信を実行する。
【００２１】
第１の拡張カード２００は、第１のボード２０２と、第１のスイッチ２０４と、第１の光モジュール２０６と、MPO(Multi-Fiber Push-On)コネクタ２０８と、第１のカードエッジ２１０とを有する。
【００２２】
第１のボード２０２は、第１のスイッチ２０４と、第１の光モジュール２０６とを固定して配線する。第１のボード２０２の一実施例は、プリント基板である。第１のボード２０２において、配線は省略される。
【００２３】
第１のスイッチ２０４は、第１のボード２０２に搭載される。第１のスイッチ２０４の一実施例は、PCIeスイッチである。
【００２４】
第１の光モジュール２０６は、第１のボード２０２に搭載される。第１の光モジュール２０６は、第１のスイッチ２０４と接続される。第１の光モジュール２０６は、第１のスイッチ２０４との間でPCIeプロトコルに従って電気信号によりデータ通信を実行する。
【００２５】
第１の光モジュール２０６は、MPOコネクタ２０８からの光信号を電気信号へ変換し、第１のスイッチ２０４へ入力する。また、第１の光モジュール２０６は、第１のスイッチ２０４からの電気信号を光信号へ変換し、MPOコネクタ２０８を介して出力する。第１の拡張カード２００の第１の光モジュール２０６と第２の拡張カード４００の光モジュール(図示なし)との間で、光信号によりデータ通信を行う。
【００２６】
MPOコネクタ２０８は、光ケーブル(複数の光ファイバを束ねたケーブル)を介して、第１の光モジュール２０６に接続される。MPOコネクタ２０８の一実施例は、１２心の光ケーブルに対応したMPOコネクタである。
【００２７】
第１のカードエッジ２１０は、第１のボード２０２の少なくとも一辺に設けられる。第１のカードエッジ２１０の一実施例は、PCIeカードエッジである。第１のカードエッジ２１０は、第１のスイッチ２０４と接続される。第１のカードエッジ２１０は、第１のホストPC１００のPCIeコネクタ（図示なし）に挿入される。第１のカードエッジ２１０は、第１のホストPC１００と第１のスイッチ２０４との間でPCIeプロトコルに従ってデータ通信を電気信号により実行する。
【００２８】
第１のスイッチ２０４において、第１のホストPC１００側と接続されるポートをアップストリーム(Upstream: usp)と定義し、第１のホストPC１００以外と接続されるポートをダウンストリーム(Downstream: dsp)と定義する。ここでは、第２のホストPC３００側と接続されるポートをダウンストリームと定義する。
【００２９】
図３は、通信システムの一例を示す部分ブロック図である。
【００３０】
図３には、第１のホストPC１００へ第１の拡張カード２００を搭載し、第２のホストPC３００へ第２の拡張カード４００を搭載した例が示される。
【００３１】
第１の拡張カード２００は、第１のホストPC１００のマザーボード１０２のPCIeスロット１０４へ挿入される。
【００３２】
図３に示される例では、MPOコネクタ２０８は、MPO中継アダプタ５０６を介して、光ケーブル５００と接続されるMPOコネクタ５０２と接続される。以下、説明は省略するが、MPOコネクタ同士は、MPO中継アダプタを介して接続される。
【００３３】
第２の拡張カード４００の一実施例は、PCIeプロトコルに従って、データ通信を実行する。
【００３４】
第２の拡張カード４００は、第２のボード４０２と、第２のスイッチ４０４と、第２の光モジュール４０６と、MPOコネクタ４０８と、第２のカードエッジ４１０とを有する。第２の拡張カード４００は、第２のホストPC３００のマザーボード３０２のPCIeスロット３０４へ挿入される。
【００３５】
第２のボード４０２は、第２のスイッチ４０４と、第２の光モジュール４０６とを固定して配線する。第２のボード４０２の一実施例は、プリント基板である。第２のボード４０２において、配線は省略される。
【００３６】
第２のスイッチ４０４は、第２のボード４０２に搭載される。第２のスイッチ４０４の一実施例は、PCIeスイッチである。
【００３７】
第２の光モジュール４０６は、第２のボード４０２に搭載される。第２の光モジュール４０６は、第２のスイッチ４０４と接続される。第２の光モジュール４０６は、第２のスイッチ４０４との間でPCIeプロトコルに従って電気信号によりデータ通信を実行する。第２の光モジュール４０６は、MPOコネクタ４０８からの光信号を電気信号へ変換し、第２のスイッチ４０４からの電気信号を光信号へ変換する。第２の拡張カード４００の第２の光モジュール４０６と第１の拡張カード２００の第１の光モジュール２０６との間で、光信号によりデータ通信を行う。
【００３８】
MPOコネクタ４０８は、第２の光モジュール４０６と、光ケーブルを介して接続される。MPOコネクタ４０８の一実施例は、１２心の光ケーブルに対応したMPOコネクタである。
【００３９】
第２のカードエッジ４１０は、第２のボード４０２の少なくとも一辺に設けられる。第２のカードエッジ４１０の一実施例は、PCIeカードエッジである。第２のカードエッジ４１０は、第２のスイッチ４０４と接続される。第２のカードエッジ４１０は、第２のホストPC３００のマザーボード３０２上のPCIeコネクタ３０４に挿入される。第２のカードエッジ４１０は、第２のホストPC３００と第２のスイッチ４０４との間でPCIeプロトコルに従ってデータ通信を電気信号により実行する。
【００４０】
第２のスイッチ４０４において、第２のホストPC３００側と接続されるポートをアップストリームと定義し、第２のホストPC３００以外と接続されるポートをダウンストリームと定義する。ここでは、第１のホストPC１００側と接続されるポートをダウンストリームと定義する。
【００４１】
MPOコネクタ４０８は、MPO中継アダプタ５０８を介して、光ケーブル５００と接続されるMPOコネクタ５０４と接続される。
【００４２】
＜第１の拡張カード２００（その２）＞
図４は、第１の拡張カード２００（その２）の一実施例を示す。第２の拡張カード４００は、第１の拡張カード２００と略同一であるため、その説明を省略する。
【００４３】
第１の拡張カード２００（その２）の一実施例は、PCIeプロトコルに従って、データ通信を実行する。
【００４４】
第１の拡張カード２００は、図２を参照して説明した第１の拡張カードの第１の光モジュール２０６の代わりに、QSFPコネクタ２１２を有するようにしたものである。
【００４５】
QSFPコネクタ２１２は、第１のスイッチ２０４と接続される。QSFPコネクタ２１２の一実施例は、QSFP(Quad Small Form Factor Pluggable)が適用される。QSFPコネクタ２１２には、光ケーブル５００と接続されたQSFPに準拠したAOC(Active Optical Cable)プラグ６０２が挿入される。AOCプラグ６０２には、光モジュールが搭載される。該光モジュールと第１のスイッチ２０４との間は、PCIeプロトコルに従って、電気信号によりデータ通信が実行される。光ケーブル５００の両端には、それぞれ上述したAOCプラグ６０２およびAOCプラグ６０４が接続される。
【００４６】
図５は、通信システムの一例を示す部分ブロック図である。
【００４７】
図５には、第１のホストPC１００へ第１の拡張カード２００を搭載し、第２のホストPC３００へ第２の拡張カード４００を搭載した例が示される。
【００４８】
第１の拡張カード２００は、第１のホストPC１００のマザーボード１０２のPCIeスロット１０４へ挿入される。
【００４９】
図５に示される例では、QSFPコネクタ２１２は、光ケーブル５００と接続されるAOCプラグ６０２と接続される。
【００５０】
第２の拡張カード４００の一実施例は、PCIeプロトコルに従って、データ通信を実行する。
【００５１】
第２の拡張カード４００は、第２のボード４０２と、第２のスイッチ４０４と、QSFPコネクタ４１２と、第２のカードエッジ４１０とを有する。第２の拡張カード４００は、第２のホストPC３００のマザーボード３０２のPCIeスロット３０４へ挿入される。
【００５２】
QSFPコネクタ４１２は、スイッチ４０４と接続される。QSFPコネクタ４１２の一実施例は、QSFPが適用される。QSFPコネクタ４１２には、光ケーブル５００と接続されたQSFPに準拠したAOCプラグ６０４が挿入される。AOCプラグ６０４には、光モジュールが搭載される。該光モジュールと第２のスイッチ４０４との間は、PCIeプロトコルに従って、電気信号によりデータ通信が実行される。光ケーブル５００の両端には、それぞれ上述したAOCプラグ６０２およびAOCプラグ６０４が接続される。
【００５３】
図６は、通信システムの一例を示す。通信システムは、図５に示される通信システムにおいて、第１の拡張カード２００と第２の拡張カード４００との間をQSFPケーブル６００で接続したものである。
【００５４】
QSFPは、光信号、電気信号等の信号の種別に依存しないため、第１の拡張カード２００と第２の拡張カード４００との間を電気信号により、データ通信を行わせることができる。
【００５５】
通信システムの一例は、第１の拡張カード２００と第２の拡張カード４００との間は、電気ケーブルであるQSFPケーブル６００により電気信号によりデータ通信が実行される。QSFPケーブル６００の両端は、それぞれQSFPプラグ７０２およびQSFPプラグ７０４が接続される。QSFPプラグ７０２およびQSFPプラグ７０４には、それぞれリピータが内蔵される。つまり、図５を参照して説明したQSFPプラグ６０２およびQSFPプラグ６０４と異なり、光モジュールは搭載されない。
【００５６】
＜高速シリアル通信のモニタリング、エラー解析＞
高速シリアル通信のモニタリング、エラー解析を行う場合について説明する。
【００５７】
高速シリアル通信のモニタリング、エラー解析を行う場合には、対象とするプロトコルに対応するプロトコルアナライザが使用される。
【００５８】
＜uspの通信トラヒックを解析する場合＞
図３、図５、図６に示される通信システムにおいて、uspの通信トラヒックを解析する場合、第１のホストPC１００のマザーボード１０２のスロット１０４と第１のカードエッジ２１０との間にインターポーザを直列に挿入する。第１のホストPC１００のマザーボード１０２のスロット１０４と第１のカードエッジ２１０との間にインターポーザを直列に挿入することのより、uspの電気信号を取得することができるため、uspの通信トラヒックを解析することができる。
【００５９】
図７は、インターポーザ８００の一例を示す。
【００６０】
インターポーザ８００は、信号プローブ８３２および信号プローブ８３４と、カードエッジ８３６と、スロット８３８とを有する。
【００６１】
インターポーザ８００は、カードエッジ８３６とスロット８３８との間の通信経路を複数に分岐する。図７に示されるインターポーザ８００は、カードエッジ８３６とスロット８３８との間の通信経路を２つに分岐する。
【００６２】
カードエッジ８３６とスロット８３８との間の通信経路を分岐した経路の２つはそれぞれ信号プローブ８３２および信号プローブ８３４と接続される。
【００６３】
信号プローブ８３２および信号プローブ８３４は、通信経路の電気信号を取り出す。例えば、カードエッジ８３６からスロット８３８への信号は、信号プローブ８３４から取り出される。信号プローブ８３４から取り出された信号は、プロトコルアナライザに入力され、該プロトコルアナライザにより解析される。
【００６４】
また、スロット８３８からカードエッジ８３６への信号は、信号プローブ８３２から取り出される。信号プローブ８３２から取り出された信号は、プロトコルアナライザに入力され、該プロトコルアナライザにより解析される。
【００６５】
図８は、図３に示す通信システムにおいて、uspの通信トラヒックを解析する例を示す。この場合、第１のホストPC１００のマザーボード１０２のスロット１０４と第１のカードエッジ２１０との間にデータ取得部としてのインターポーザ８００を直列に挿入することにより、uspの電気信号を取得することができる。uspの電気信号を取得することができるため、プロトコルアナライザによる通信トラヒックの解析ができる。
【００６６】
例えば、マザーボード１０２により生成される解析信号がインターポーザ８００へ入力される。インターポーザ８００は、マザーボード１０２からの解析信号を分岐し、一方の解析信号を取得するとともに、他方の解析信号を第１のカードエッジ２１０へ出力する。インターポーザ８００により取得された解析信号はプロトコルアナライザに入力され、該プロトコルアナライザにより解析される。
【００６７】
具体的には、マザーボード１０２により生成される解析信号が該マザーボード１０２のスロット１０４に挿入されるインターポーザ８００のカードエッジ８３６へ入力される。カードエッジ８３６へ入力された解析信号は分岐され、一方は信号プローブ８３４から出力されるとともに、他方はスロット８３８から出力される。
【００６８】
スロット８３８から出力される解析信号は、第１のカードエッジ２１０へ入力される。該解析信号は、第１のカードエッジ２１０から第１のスイッチ２０４を介して、第１の光モジュール２０６に入力され、光信号へ変換される。該光信号は、MPOコネクタ２０８から出力される。
【００６９】
信号プローブ８３４から出力される解析信号は、プロトコルアナライザに入力され、該プロトコルアナライザにより解析される。
【００７０】
また、MPOコネクタ２０８からの解析信号は、第１の光モジュール２０６により電気信号へ変換され、第１のスイッチ２０４を介して、第１のカードエッジ２１０へ入力される。
【００７１】
第１のカードエッジ２１０は、電気信号へ変換した解析信号をインターポーザ８００のスロット８３８へ入力する。スロット８３８へ入力された解析信号は分岐され、一方は信号プローブ８３２から出力されるとともに、他方はマザーボード１０２のスロット１０４に挿入されるカードエッジ８３６へ入力される。カードエッジ８３６へ入力された解析信号は、マザーボード１０２へ入力される。
【００７２】
信号プローブ８３２から出力される解析信号は、プロトコルアナライザに入力され、該プロトコルアナライザにより解析される。
【００７３】
図９は、図５、図６に示す通信システムにおいて、uspの通信トラヒックを解析する例を示す。この場合、第１のホストPC１００のマザーボード１０２のスロット１０４と第１のカードエッジ２１０との間にデータ取得部としてのインターポーザ８００を直列に挿入することにより、uspの電気信号を取得することができるため、プロトコルアナライザによる通信トラヒックの解析ができる。
【００７４】
例えば、マザーボード１０２により生成される解析信号がインターポーザ８００へ入力される。インターポーザ８００は、マザーボード１０２からの解析信号を分岐し、一方の解析信号を取得するとともに、他方の解析信号を第１のカードエッジ２１０へ出力する。
【００７５】
インターポーザ８００により取得された解析信号はプロトコルアナライザに入力され、該プロトコルアナライザにより解析される。
【００７６】
具体的には、マザーボード１０２により生成される解析信号が該マザーボード１０２のスロット１０４に挿入されるインターポーザ８００のカードエッジ８３６へ入力される。カードエッジ８３６へ入力された解析信号は分岐され、一方は信号プローブ８３４から出力されるとともに、他方はスロット８３８から出力される。
【００７７】
スロット８３８から出力される解析信号は、第１のカードエッジ２１０へ入力される。該解析信号は、第１のカードエッジ２１０から第１のスイッチ２０４を介して、QSFPコネクタ２１２へ入力される。
【００７８】
信号プローブ８３４から出力される解析信号は、プロトコルアナライザに入力され、該プロトコルアナライザにより解析される。
【００７９】
また、QSFPコネクタ２１２からの解析信号は、第１のスイッチ２０４を介して、第１のカードエッジ２１０へ入力される。
【００８０】
第１のカードエッジ２１０は、第１のカードエッジ２１０からの解析信号をインターポーザ８００のスロット８３８へ入力する。スロット８３８へ入力された解析信号は分岐され、一方は信号プローブ８３２から出力されるとともに、他方はカードエッジ８３６へ入力される。カードエッジ８３６へ入力された解析信号は、マザーボード１０２へ入力される。
【００８１】
信号プローブ８３２から出力される解析信号は、プロトコルアナライザに入力され、該プロトコルアナライザにより解析される。
【００８２】
＜dspの通信トラヒックを解析する場合＞
図１０は、通信システムの一実施例（その１）を示す。図１０は、図３に示す通信システムにおいて、dspの通信トラヒックを解析する際に使用する解析信号取得デバイス８５０が示される。
【００８３】
図１０に示される例では、第１の拡張カード２００と第２の拡張カード４００との間は、解析信号取得デバイス８５０を介して接続される。
【００８４】
解析信号取得デバイス８５０は、第３のボード８０２と、該第３のボード８０２上に設けられる２つのスロット８０４およびスロット８０６とを有する。さらに、解析信号取得デバイス８５０は、スロット８０４に挿入される第３のカードエッジ８０８を有する第４のボード８１０と、第４のボード８１０に搭載される第３の光モジュール８１２と、該第３の光モジュール８１２と光ケーブルを介して接続されるMPOコネクタ８１４とを有する。
【００８５】
さらに、解析信号取得デバイス８５０は、スロット８０６に挿入されるデータ取得部としてのインターポーザ８００と、該インターポーザ８００と接続される第４のカードエッジ８１６を有する第５のボード８１８と、第５のボード８１８に搭載される第４の光モジュール８２０と、該第４の光モジュール８２０と光ケーブルを介して接続されるMPOコネクタ８２２とを有する。
【００８６】
第３の光モジュール８１２と第３のカードエッジ８０８とは接続される。第４の光モジュール８２０と第４のカードエッジ８１６とは接続される。
【００８７】
第３のボード８０２の一実施例は、プリント基板である。第３のボード８０２において、配線は省略される。
【００８８】
第４のボード８１０は、第３の光モジュール８１２を固定して配線する。第４のボード８１２の一実施例は、プリント基板である。第４のボード８０２において、配線は省略される。
【００８９】
第５のボード８１８は、第４の光モジュール８２０を固定して配線する。第５のボード８１８の一実施例は、プリント基板である。第５のボード８１８において、配線は省略される。
【００９０】
第１の拡張カード２００と第４のボード８１０との間は、両端にそれぞれMPOコネクタ５０２およびMPOコネクタ５０４が接続される光ケーブル５００により接続される。
【００９１】
第２の拡張カード４００と第５のボード８１８との間も、第１の拡張カード２００と第４のボード８１０との間と同様に、両端にそれぞれMPOコネクタ５０２およびMPOコネクタ５０４が接続される光ケーブル５００により接続される。
【００９２】
第１の拡張カード２００と第２の拡張カード４００との間に、解析信号取得デバイス８５０を挿入することにより、解析信号取得デバイス８５０のインターポーザ８００の信号プローブ８３２および信号プローブ８３４からdspの電気信号を取得することができるため、プロトコルアナライザによる通信トラヒックの解析ができる。
【００９３】
例えば、マザーボード１０２により生成される解析信号は、該マザーボード１０２のスロット１０４に挿入される第１のカードエッジ２１０から第１のスイッチ２０４へ入力される。該解析信号は、第１のスイッチ２０４から、第１の光モジュール２０６へ入力され、光信号へ変換される。該光信号は、光ケーブル５００を伝送し、解析信号取得デバイス８５０へ入力される。
【００９４】
解析信号取得デバイス８５０へ入力された光信号は、第３の光モジュール８１２により電気信号へ変換される。該電気信号は、第３のカードエッジ８０８へ入力される。第３のカードエッジ８０８へ入力される電気信号は、第３のボード８０２上に設けられる２つのスロット８０４およびスロット８０６を介して、インターポーザ８００のカードエッジ８３６へ入力される。
【００９５】
カードエッジ８３６へ入力された電気信号は分岐され、一方は信号プローブ８３４から出力されるとともに、他方はスロット８３８から出力される。
【００９６】
スロット８３８から出力される電気信号は、第４のカードエッジ８１６へ入力される。第４のカードエッジ８１６へ入力される電気信号は、第４の光モジュール８２０へ入力され、光信号へ変換される。該光信号は、光ケーブル５００を伝送し、第２の光モジュール４０６へ入力され、電気信号へ変換される。該電気信号は、第２のスイッチ４０４を介して、マザーボード３０２のスロット３０４に挿入される第２のカードエッジ４１０へ入力される。第２のカードエッジ４１０へ入力される電気信号は、マザーボード３０２へ入力される。
【００９７】
信号プローブ８３４から出力される電気信号は、プロトコルアナライザに入力され、該プロトコルアナライザにより解析される。
【００９８】
また、例えば、マザーボード３０２により生成される解析信号は、該マザーボード３０２のスロット３０４に挿入される第２のカードエッジ４１０から第２のスイッチ４０４へ入力される。該解析信号は、第２のスイッチ４０４から、第２の光モジュール４０６へ入力され、光信号へ変換される。該光信号は、光ケーブル５００を伝送し、解析信号取得デバイス８５０へ入力される。
【００９９】
解析信号取得デバイス８５０へ入力された光信号は、第５のボード８１８の第４の光モジュール８２０へ入力され、電気信号へ変換される。該電気信号は、第４のカードエッジ８１６へ入力される。第４のカードエッジ８１６へ入力された電気信号は、インターポーザ８００のスロット８３８へ入力される。スロット８３８へ入力された電気信号は分岐され、一方は信号プローブ８３２から出力されるとともに、他方はカードエッジ８３６から出力される。
【０１００】
カードエッジ８３６から出力される電気信号は、第３のボード８０２上に設けられる２つのスロット８０６およびスロット８０４を介して、第４のボード８１０の第３のカードエッジ８０８へ入力される。第３のカードエッジ８０８へ入力される電気信号は、第３の光モジュール８１２へ入力され、光信号へ変換される。該光信号は、光ケーブル５００を伝送し、第１の光モジュール２０６へ入力され、電気信号へ変換される。該電気信号は、第１のスイッチ２０４を介して、マザーボード１０２のスロット１０４に挿入される第１のカードエッジ２１０へ入力される。第１のカードエッジ２１０へ入力される電気信号は、マザーボード１０２へ入力される。
【０１０１】
信号プローブ８３２から出力される電気信号は、プロトコルアナライザに入力され、該プロトコルアナライザにより解析される。
【０１０２】
図１１は、通信システムの一実施例（その２）を示す。図１１は、図５に示す通信システムにおいて、dspの通信トラヒックを解析する際に使用する解析信号取得デバイス８５０が示される。
【０１０３】
図１１に示される例では、第１の拡張カード２００と第２の拡張カード４００との間は、解析信号取得デバイス８５０を介して接続される。
【０１０４】
解析信号取得デバイス８５０は、図１０を参照して説明した解析信号取得デバイスと比較して、第４のボード８１０および第５のボード８１８に、第３の光モジュール８１２および第４の光モジュール８２０の代わりにそれぞれQSFPコネクタ８２４およびQSFPコネクタ８２６が搭載される点で異なる。
【０１０５】
QSFPコネクタ８２４とカードエッジ８０８とは、接続される。QSFPコネクタ８２６とカードエッジ８１６とは、接続される。
【０１０６】
第１の拡張カード２００と第４のボード８１０との間は、両端にそれぞれAOCプラグ６０２およびAOCプラグ６０４が接続される光ケーブル５００により接続される。
【０１０７】
第２の拡張カード４００と第５のボード８１８との間も、第１の拡張カード２００と第４のボード８１０との間と同様に、両端にそれぞれAOCプラグ６０２およびAOCプラグ６０４が接続される光ケーブル５００により接続される。
【０１０８】
第１の拡張カード２００と第２の拡張カード４００との間に、解析信号取得デバイス８５０を挿入することにより、解析信号取得デバイス８５０のインターポーザ８００の信号プローブ８３２および信号プローブ８３４からdspの電気信号を取得することができるため、プロトコルアナライザによる通信トラヒックの解析ができる。
【０１０９】
例えば、マザーボード１０２により生成される解析信号は、該マザーボード１０２のスロット１０４に挿入される第１のカードエッジ２１０から第１のスイッチ２０４へ入力される。該解析信号は、第１のスイッチ２０４から、AOCプラグ６０２へ入力され、光信号へ変換される。該光信号は、光ケーブル５００を伝送しAOCプラグ６０４へ入力され、電気信号へ変換される。該電気信号は、解析信号取得デバイス８５０へ入力される。
【０１１０】
解析信号取得デバイス８５０へ入力された電気信号は、第３のカードエッジ８０８へ入力される。第３のカードエッジ８０８へ入力される電気信号は、第３のボード８０２上に設けられる２つのスロット８０４およびスロット８０６を介して、インターポーザ８００のカードエッジ８３６へ入力される。
【０１１１】
カードエッジ８３６へ入力された電気信号は分岐され、一方は信号プローブ８３４から出力されるとともに、他方はスロット８３８から出力される。
【０１１２】
スロット８３８から出力される電気信号は、AOCプラグ６０４へ入力され、光信号へ変換される。該光信号は、光ケーブル５００を伝送しAOCプラグ６０２へ入力され、電気信号へ変換される。該電気信号は、第２のスイッチ４０４を介して、マザーボード３０２のスロット３０４に挿入される第２のカードエッジ４１０へ入力される。第２のカードエッジ４１０へ入力される電気信号は、マザーボード３０２へ入力される。
【０１１３】
信号プローブ８３４から出力される電気信号は、プロトコルアナライザに入力され、該プロトコルアナライザにより解析される。
【０１１４】
また、例えば、マザーボード３０２により生成される解析信号は、該マザーボード３０２のスロット３０４に挿入される第２のカードエッジ４１０から第２のスイッチ４０４へ入力される。該解析信号は、第２のスイッチ４０４から、AOCプラグ６０２へ入力され、光信号へ変換される。該光信号は、光ケーブル５００を伝送しAOCプラグ６０４へ入力され、電気信号へ変換される。該電気信号は、解析信号取得デバイス８５０へ入力される。
【０１１５】
解析信号取得デバイス８５０へ入力された電気信号は、第４のカードエッジ８１６を介して、インターポーザ８００のスロット８３８へ入力される。スロット８３８へ入力された電気信号は分岐され、一方は信号プローブ８３２から出力されるとともに、他方はカードエッジ８３６から出力される。
【０１１６】
カードエッジ８３６から出力される電気信号は、第３のボード８０２上に設けられる２つのスロット８０６およびスロット８０４を介して、第４のボード８１０の第３のカードエッジ８０８へ入力される。第３のカードエッジ８０８へ入力される電気信号は、第４のボード８１０のQSFPコネクタ８２４に挿入されるAOCプラグ６０４へ入力され、光信号へ変換される。該光信号は、光ケーブル５００を伝送しAOCプラグ６０２へ入力され、電気信号へ変換される。該電気信号は、第１のスイッチ２０４を介して、マザーボード１０２のスロット１０４に挿入される第１のカードエッジ２１０へ入力される。第１のカードエッジ２１０へ入力される電気信号は、マザーボード１０２へ入力される。
【０１１７】
信号プローブ８３４から出力される電気信号は、プロトコルアナライザに入力され、該プロトコルアナライザにより解析される。
【０１１８】
図１２は、通信システムの一実施例（その３）を示す。図１２は、図５に示す通信システムにおいて、dspの通信トラヒックを解析する際に使用する解析信号取得デバイス８５０が示される。
【０１１９】
図１２に示される例では、第１の拡張カード２００と第２の拡張カード４００との間は、解析信号取得デバイス８５０を介して接続される。
【０１２０】
解析信号取得デバイス８５０は、図１１を参照して説明した解析信号取得デバイスと略同一である。
【０１２１】
第１の拡張カード２００と第４のボード８１０との間は、両端にそれぞれQSFPプラグ７０２およびQSFPプラグ７０４が接続されるQSFPケーブル６００により接続される。
【０１２２】
第２の拡張カード４００と第５のボード８１８との間も、第１の拡張カード２００と第４のボード８１０との間と同様に、両端にそれぞれQSFPプラグ７０２およびQSFPプラグ７０４が接続されるQSFPケーブル６００により接続される。
【０１２３】
第１の拡張カード１００と第２の拡張カード２００との間に、解析信号取得デバイス８５０を挿入することにより、解析信号取得デバイス８５０のインターポーザ８００からdspの電気信号を取得することができるため、プロトコルアナライザによる通信トラヒックの解析ができる。
【０１２４】
例えば、マザーボード１０２により生成される解析信号は、該マザーボード１０２のスロット１０４に挿入される第１のカードエッジ２１０から第１のスイッチ２０４へ入力される。該解析信号は、第１のスイッチ２０４から、QSFPプラグ７０２へ入力される。該解析信号は、QSFPケーブル６００を伝送しQSFPプラグ７０４へ入力される。該解析信号は、解析信号取得デバイス８５０へ入力される。
【０１２５】
解析信号取得デバイス８５０へ入力された解析信号は、第３のカードエッジ８０８へ入力される。第３のカードエッジ８０８へ入力される解析信号は、第３のボード８０２上に設けられる２つのスロット８０４およびスロット８０６を介して、インターポーザ８００のカードエッジ８３６へ入力される。
【０１２６】
カードエッジ８３６へ入力された解析信号は分岐され、一方は信号プローブ８３４から出力されるとともに、他方はスロット８３８から出力される。
【０１２７】
スロット８３８から出力される解析信号は、QSFPプラグ７０４へ入力される。該解析信号は、QSFPケーブル６００を伝送しQSFPプラグ７０２へ入力される。該解析信号は、第２のスイッチ４０４を介して、マザーボード３０２のスロット３０４に挿入される第２のカードエッジ４１０へ入力される。第２のカードエッジ４１０へ入力される電気信号は、マザーボード３０２へ入力される。
【０１２８】
信号プローブ８３４から出力される解析信号は、プロトコルアナライザに入力され、該プロトコルアナライザにより解析される。
【０１２９】
また、例えば、マザーボード３０２により生成される解析信号は、該マザーボード３０２のスロット３０４に挿入される第２のカードエッジ４１０から第２のスイッチ４０４へ入力される。該解析信号は、第２のスイッチ４０４から、QSFPプラグ７０２へ入力される。該解析信号は、QSFPケーブル６００を伝送しQSFPプラグ７０４へ入力される。
【０１３０】
該解析信号は、第４のカードエッジ８１６を介して、インターポーザ８００のスロット８３８へ入力される。該解析信号は、解析信号取得デバイス８５０へ入力される。
【０１３１】
解析信号取得デバイス８５０へ入力された解析信号は、第４のカードエッジ８１６を介して、インターポーザ８００のスロット８３８へ入力される。スロット８３８へ入力された解析信号は分岐され、一方は信号プローブ８３２から出力されるとともに、他方はカードエッジ８３６から出力される。
【０１３２】
カードエッジ８３６から出力される解析信号は、第３のボード８０２上に設けられる２つのスロット８０６およびスロット８０４を介して、第４のボード８１０の第３のカードエッジ８０８へ入力される。第３のカードエッジ８０８へ入力される解析信号は、第４のボード８１０のQSFPコネクタ８２４に挿入されるQSFPプラグ７０４へ入力される。該解析信号は、QSFPケーブル６００を伝送しQSFPプラグ７０２へ入力される。該解析信号は、第１のスイッチ２０４を介して、マザーボード１０２のスロット１０４に挿入される第１のカードエッジ２１０へ入力される。第１のカードエッジ２１０へ入力される電気信号は、マザーボード１０２へ入力される。
【０１３３】
信号プローブ８３４から出力される解析信号は、プロトコルアナライザに入力され、該プロトコルアナライザにより解析される。
【０１３４】
図１３は、通信システムの一実施例（その４）を示す。図１３は、図３に示す通信システムにおいて、dspの通信トラヒックを解析する際に使用する解析信号取得デバイス８５０が示される。
【０１３５】
図１３に示される例では、第１の拡張カード２００と第２の拡張カード４００との間は、図１１および図１２を参照して説明した解析信号取得デバイス８５０を介して接続される。
【０１３６】
第１の拡張カード２００と第４のボード８１０との間は、一端にMPOコネクタ５０２、他端に第２のAOCプラグ６０４が接続される光ケーブル５００により接続される。
【０１３７】
第２の拡張カード４００と第５のボード８１８との間も、第１の拡張カード２００と第４のボード８１０との間と同様に、一端にMPOコネクタ５０４、他端に第２のAOCプラグ６０４が接続される光ケーブル５００により接続される。
【０１３８】
第１の拡張カード１００と第２の拡張カード２００との間に、解析信号取得デバイス８５０を挿入することにより、解析信号取得デバイス８５０のインターポーザ８００からdspの電気信号を取得することができるため、プロトコルアナライザによる通信トラヒックの解析ができる。
【０１３９】
例えば、マザーボード１０２により生成される解析信号は、該マザーボード１０２のスロット１０４に挿入される第１のカードエッジ２１０から第１のスイッチ２０４へ入力される。該解析信号は、第１のスイッチ２０４から、第１の光モジュール２０６へ入力され、光信号へ変換される。該光信号は、光ケーブル５００を伝送し、AOCプラグ６０４へ入力され、電気信号へ変換される。該電気信号は、解析信号取得デバイス８５０へ入力される。
【０１４０】
解析信号取得デバイス８５０へ入力された電気信号は、第３のカードエッジ８０８へ入力される。第３のカードエッジ８０８へ入力される電気信号は、第３のボード８０２上に設けられる２つのスロット８０４およびスロット８０６を介して、インターポーザ８００のカードエッジ８３６へ入力される。
【０１４１】
カードエッジ８３６へ入力された電気信号は分岐され、一方は信号プローブ８３４から出力されるとともに、他方はスロット８３８から出力される。
【０１４２】
スロット８３８から出力される電気信号は、第４のカードエッジ８１６へ入力される。第４のカードエッジ８１６へ入力される電気信号は、AOCプラグ６０４へ入力され、光信号へ変換される。該光信号は、光ケーブル５００を伝送し、第２の光モジュール４０６へ入力され、電気信号へ変換される。該電気信号は、第２のスイッチ４０４を介して、マザーボード３０２のスロット３０４に挿入される第２のカードエッジ４１０へ入力される。第２のカードエッジ４１０へ入力される電気信号は、マザーボード３０２へ入力される。
【０１４３】
信号プローブ８３４から出力される電気信号は、プロトコルアナライザに入力され、該プロトコルアナライザにより解析される。
【０１４４】
また、例えば、マザーボード３０２により生成される解析信号は、該マザーボード３０２のスロット３０４に挿入される第２のカードエッジ４１０から第２のスイッチ４０４へ入力される。該解析信号は、第２のスイッチ４０４から、第２の光モジュール４０６へ入力され、光信号へ変換される。該光信号は、AOCプラグ６０４へ入力され、電気信号へ変換される。該電気信号は、解析信号取得デバイス８５０へ入力される。
【０１４５】
解析信号取得デバイス８５０へ入力された電気信号は、第４のカードエッジ８１６を介して、インターポーザ８００のスロット８３８へ入力される。
【０１４６】
スロット８３８へ入力された電気信号は分岐され、一方は信号プローブ８３２から出力されるとともに、他方はカードエッジ８３６から出力される。
【０１４７】
カードエッジ８３６から出力される電気信号は、第３のボード８０２上に設けられる２つのスロット８０６およびスロット８０４を介して、第４のボード８１０の第３のカードエッジ８０８へ入力される。第３のカードエッジ８０８へ入力される電気信号は、AOCプラグ６０４へ入力され、光信号へ変換される。該光信号は、光ケーブル５００を伝送し、第１の光モジュール２０６へ入力され、電気信号へ変換される。該電気信号は、第１のスイッチ２０４を介して、マザーボード１０２のスロット１０４に挿入される第１のカードエッジ２１０へ入力される。第１のカードエッジ２１０へ入力される電気信号は、マザーボード１０２へ入力される。
【０１４８】
信号プローブ８３２から出力される電気信号は、プロトコルアナライザに入力され、該プロトコルアナライザにより解析される。
【０１４９】
図１０−図１３に示される通信システムにおいて、第１の拡張カード２００からの電気信号を分岐し、一方の電気信号からデータを取得するとともに、第２の拡張カード４００へ他方の電気信号を出力する機能を有するものであれば、インターポーザ８００に限られず、インターポーザ以外のものにより実現してもよい。
【０１５０】
図１４は、解析信号取得デバイス８５０の一実施例を示す。
【０１５１】
解析信号取得デバイス８５０は、MPOコネクタ８５２と、MPOコネクタ８５４と、QSFPコネクタ８５６と、QSFPコネクタ８５８とを有する。さらに、解析信号取得デバイス８５０は、第５の光モジュール８６０と、第６の光モジュール８６２と、データ取得部としての第１の信号プローブ８６４と、データ取得部としての第２の信号プローブ８６６と、第５のカードエッジ８６８と、スロット８７０とを有する。
【０１５２】
解析信号取得デバイス８５０は、第５のカードエッジ８６８とスロット８７０との間の通信経路を複数に分岐する。図１４には、第５のカードエッジ８６８とスロット８７０との間の通信経路を６つに分岐する場合について説明するが、４つでもよいし、８つ以上であってもよい。分岐する数が偶数であるのが好ましい。解析信号取得デバイス８５０は、第５のカードエッジ８６８とスロット８７０との間の通信経路において、解析信号を入力する部分、解析信号を出力する部分、第１の信号プローブ８６４、第２の信号プローブ８６６を有するのが好ましい。
【０１５３】
第５のカードエッジ８６８とスロット８７０との間の通信経路を分岐した経路のうち、２つはそれぞれ第５の光モジュール８６０および第６の光モジュール８６２と接続される。
【０１５４】
第５の光モジュール８６０は、第５のカードエッジ８６８とスロット８７０との間の通信経路を分岐した経路の電気信号を光信号へ変換する。また、第５の光モジュール８６０は、光ケーブルからの光信号を電気信号へ変換する。
【０１５５】
第６の光モジュール８６２は、第５のカードエッジ８６８とスロット８７０との間の通信経路を分岐した経路の電気信号を光信号へ変換する。また、第６の光モジュール８６２は、光ケーブルからの光信号を電気信号へ変換する。
【０１５６】
MPOコネクタ８５２は、第５の光モジュール８６０と接続される。MPOコネクタ８５２は、光ケーブルを介して、第５の光モジュール８６０へ光信号を入力する。
【０１５７】
MPOコネクタ８５４は、第６の光モジュール８６２と接続される。MPOコネクタ８５４は、光ケーブルを介して、第６の光モジュール８６２へ光信号を入力する。
【０１５８】
第５のカードエッジ８６８とスロット８７０との間の通信経路を分岐した経路のうち、２つはそれぞれQSFPコネクタ８５６およびQSFPコネクタ８５８と接続される。
【０１５９】
QSFPコネクタ８５６は、第５のカードエッジ８６８とスロット８７０との間の通信経路を分岐した経路の電気信号を出力する。
【０１６０】
QSFPコネクタ８５８は、第５のカードエッジ８６８とスロット８７０との間の通信経路を分岐した経路の電気信号を出力する。
【０１６１】
第５のカードエッジ８６８とスロット８７０との間の通信経路を分岐した経路のうち、２つはそれぞれ第１の信号プローブ８６４および第２の信号プローブ８６６と接続される。
【０１６２】
第１の信号プローブ８６４および第２の信号プローブ８６６は、通信経路の電気信号を取り出す。
【０１６３】
図１５は、通信システムの一実施例（その５）を示す。図１５は、図３に示す通信システムにおいて、dspの通信トラヒックを解析する際に使用する解析信号取得デバイス８５０が示される。解析信号取得デバイス８５０を利用して、第１の信号プローブ８６４、第２の信号プローブ８６６から電気信号を取得する。
【０１６４】
図１５に示される例では、図３を参照して説明した第１の拡張カード２００と第２の拡張カード４００との間は、図１４を参照して説明した解析信号取得デバイス８５０を介して接続される。
【０１６５】
MPOコネクタ２０８は、光ケーブル５００と接続されるMPOコネクタ５０４と接続される。MPOコネクタ８５２は、光ケーブル５００と接続されるMPOコネクタ５０２と接続される。
【０１６６】
MPOコネクタ４０８は、光ケーブル５００と接続されるMPOコネクタ５０４と接続される。MPOコネクタ８５４は、光ケーブル５００と接続されるMPOコネクタ５０２と接続される。
【０１６７】
解析信号取得デバイス８５０を介して、第１の拡張カード２００と第２の拡張カード４００との間を接続することにより、解析信号取得デバイス８５０を利用して、第１の信号プローブ８６４、第２の信号プローブ８６６から電気信号を取得することができる。このため、dspの通信トラヒックを解析することができる。
【０１６８】
例えば、マザーボード１０２により生成される解析信号は、該マザーボード１０２のスロット１０４に挿入される第１のカードエッジ２１０から第１のスイッチ２０４へ入力される。該解析信号は、第１のスイッチ２０４から、第１の光モジュール２０６へ入力され、光信号へ変換される。該光信号は、光ケーブル５００を伝送し、解析信号取得デバイス８５０へ入力される。
【０１６９】
解析信号取得デバイス８５０へ入力された光信号は、MPOコネクタ８５２を介して、第５の光モジュール８６０に入力され、電気信号へ変換される。該電気信号は分岐され、一方は第１の信号プローブ８６４から出力されるとともに、他方は第６の光モジュール８６２に入力され、光信号へ変換される。該光信号は、MPOコネクタ８５４を介して、出力される。該光信号は、光ケーブル５００を伝送し、第２の光モジュール４０６へ入力され、電気信号へ変換される。該電気信号は、第２のスイッチ４０４を介して、マザーボード３０２のスロット３０４に挿入される第２のカードエッジ４１０へ入力される。第２のカードエッジ４１０へ入力される電気信号は、マザーボード３０２へ入力される。
【０１７０】
第１の信号プローブ８６４から出力される電気信号は、プロトコルアナライザに入力され、該プロトコルアナライザにより解析される。
【０１７１】
また、例えば、マザーボード３０２により生成される解析信号は、該マザーボード３０２のスロット３０４に挿入される第２のカードエッジ４１０から第２のスイッチ４０４へ入力される。該解析信号は、第２のスイッチ４０４から、第２の光モジュール４０６へ入力され、光信号へ変換される。該光信号は、光ケーブル５００を伝送し、解析信号取得デバイス８５０へ入力される。
【０１７２】
解析信号取得デバイス８５０へ入力された光信号は、MPOコネクタ８５４を介して、第６の光モジュール８６２に入力され、電気信号へ変換される。該電気信号は分岐され、一方は第２の信号プローブ８６６から出力されるとともに、他方は第５の光モジュール８６０に入力され、光信号へ変換される。該光信号は、MPOコネクタ８５２を介して、出力される。該光信号は、光ケーブル５００を伝送し、第１の光モジュール２０６へ入力され、電気信号へ変換される。該電気信号は、第１のスイッチ２０４を介して、マザーボード１０２のスロット１０４に挿入される第１のカードエッジ２１０へ入力される。第１のカードエッジ２１０へ入力される電気信号は、マザーボード１０２へ入力される。
【０１７３】
第２の信号プローブ８６６から出力される電気信号は、プロトコルアナライザに入力され、該プロトコルアナライザにより解析される。
【０１７４】
図１６は、通信システムの一実施例（その６）を示す。図１６は、図５に示す通信システムにおいて、dspの通信トラヒックを解析する際に使用する解析信号取得デバイス８５０が示される。解析信号取得デバイス８５０を利用して、第１の信号プローブ８６４、第２の信号プローブ８６６から電気信号を取得する。
【０１７５】
図１６に示される例では、図５を参照して説明した第１の拡張カード２００と第２の拡張カード４００との間は、図１４を参照して説明した解析信号取得デバイス８５０を介して接続される。
【０１７６】
QSFPコネクタ２１２は、光ケーブル５００と接続されるAOCプラグ６０２と接続される。QSFPコネクタ８５６は、光ケーブル５００と接続されるAOCプラグ６０４と接続される。
【０１７７】
QSFPコネクタ４１２は、光ケーブル５００と接続されるAOCプラグ６０４と接続される。QSFPコネクタ８５８は、光ケーブル５００と接続されるAOCプラグ６０２と接続される。
【０１７８】
解析信号取得デバイス８５０を介して、第１の拡張カード２００と第２の拡張カード４００との間を接続することにより、解析信号取得デバイス８５０を利用して、第１の信号プローブ８６４、第２の信号プローブ８６６から電気信号を取得することができる。このため、dspの通信トラヒックを解析することができる。
【０１７９】
例えば、マザーボード１０２により生成される解析信号は、該マザーボード１０２のスロット１０４に挿入される第１のカードエッジ２１０から第１のスイッチ２０４へ入力される。該解析信号は、第１のスイッチ２０４から、QSFPコネクタ２１２に挿入されたAOCプラグ６０２に入力され、光信号へ変換される。該光信号は光ケーブル５００を伝送し、QSFPコネクタ８５６に挿入されたAOCプラグ６０４に入力され、電気信号へ変換される。該電気信号は、解析信号取得デバイス８５０へ入力される。
【０１８０】
解析信号取得デバイス８５０へ入力された電気信号は分岐され、一方は第１の信号プローブ８６４から出力されるとともに、他方はQSFPコネクタ８５８に挿入されたAOCプラグ６０２に入力され、光信号へ変換される。該光信号は光ケーブル５００を伝送し、QSFPコネクタ４１２に挿入されたAOCプラグ６０４に入力され、電気信号へ変換される。該電気信号は、第２のスイッチ４０４を介して、マザーボード３０２のスロット３０４に挿入される第２のカードエッジ４１０へ入力される。第２のカードエッジ４１０へ入力される電気信号は、マザーボード３０２へ入力される。
【０１８１】
第１の信号プローブ８６４から出力される電気信号は、プロトコルアナライザに入力され、該プロトコルアナライザにより解析される。
【０１８２】
また、例えば、マザーボード３０２により生成される解析信号は、該マザーボード３０２のスロット３０４に挿入される第２のカードエッジ４１０から第２のスイッチ４０４へ入力される。該解析信号は、第２のスイッチ４０４から、QSFPコネクタ４１２に挿入されたAOCプラグ６０４に入力され、光信号へ変換される。該光信号は光ケーブル５００を伝送し、QSFPコネクタ８５８に挿入されたAOCプラグ６０２に入力され、電気信号へ変換される。該電気信号は、解析信号取得デバイス８５０へ入力される。
【０１８３】
解析信号取得デバイス８５０へ入力された電気信号は分岐され、一方は第２の信号プローブ８６６から出力されるとともに、他方はQSFPコネクタ８５６に挿入されたAOCプラグ６０４に入力され、光信号へ変換される。該光信号は光ケーブル５００を伝送し、QSFPコネクタ２１２に挿入されたAOCプラグ６０２に入力され、電気信号へ変換される。該電気信号は、第１のスイッチ２０４を介して、マザーボード１０２のスロット１０４に挿入される第１のカードエッジ２１０へ入力される。第１のカードエッジ２１０へ入力される電気信号は、マザーボード１０２へ入力される。
【０１８４】
第２の信号プローブ８６６から出力される電気信号は、プロトコルアナライザに入力され、該プロトコルアナライザにより解析される。
【０１８５】
図１７は、通信システムの一実施例（その７）を示す。図１７は、図５に示す通信システムにおいて、dspの通信トラヒックを解析する際に使用する解析信号取得デバイス８５０が示される。解析信号取得デバイス８５０を利用して、第１の信号プローブ８６４、第２の信号プローブ８６６から電気信号を取得する。
【０１８６】
図１７に示される例では、図５を参照して説明した第１の拡張カード２００と第２の拡張カード４００との間は、図１４を参照して説明した解析信号取得デバイス８５０を介して接続される。
【０１８７】
QSFPコネクタ２１２は、QSFPケーブル６００と接続されるQSFPプラグ７０２と接続される。QSFPコネクタ８５６は、QSFPケーブル６００と接続されるQSFPプラグ７０４と接続される。
【０１８８】
QSFPコネクタ４１２は、QSFPケーブル６００と接続されるQSFPプラグ７０２と接続される。QSFPコネクタ８５８は、QSFPケーブル６００と接続されるQSFPプラグ７０４と接続される。
【０１８９】
解析信号取得デバイス８５０を介して、第１の拡張カード２００と第２の拡張カード４００との間を接続することにより、解析信号取得デバイス８５０を利用して、第１の信号プローブ８６４、第２の信号プローブ８６６から電気信号を取得することができる。このため、dspの通信トラヒックを解析することができる。
【０１９０】
例えば、マザーボード１０２により生成される解析信号は、該マザーボード１０２のスロット１０４に挿入される第１のカードエッジ２１０から第１のスイッチ２０４へ入力される。該解析信号は、第１のスイッチ２０４から、QSFPコネクタ２１２に挿入されたQSFPプラグ７０２に入力され、QSFPケーブル６００を伝送し、QSFPコネクタ８５６に挿入されたQSFPプラグ７０４に入力される。該解析信号は、解析信号取得デバイス８５０へ入力される。
【０１９１】
解析信号取得デバイス８５０へ入力された解析信号は分岐され、一方は第１の信号プローブ８６４から出力されるとともに、他方はQSFPコネクタ８５８に挿入されたQSFPプラグ７０４に入力される。該解析信号はQSFPケーブル６００を伝送し、QSFPコネクタ４１２に挿入されたQSFPプラグ７０２に入力される。該解析信号は、第２のスイッチ４０４を介して、マザーボード３０２のスロット３０４に挿入される第２のカードエッジ４１０へ入力される。第２のカードエッジ４１０へ入力される電気信号は、マザーボード３０２へ入力される。
【０１９２】
第１の信号プローブ８６４から出力される電気信号は、プロトコルアナライザに入力され、該プロトコルアナライザにより解析される。
【０１９３】
また、例えば、マザーボード３０２により生成される解析信号は、該マザーボード３０２のスロット３０４に挿入される第２のカードエッジ４１０から第２のスイッチ４０４へ入力される。該解析信号は、第２のスイッチ４０４から、QSFPコネクタ４１２に挿入されたQSFPプラグ７０２に入力され、QSFPケーブル６００を伝送し、QSFPコネクタ８５６に挿入されたQSFPプラグ７０４に入力される。該解析信号は、解析信号取得デバイス８５０へ入力される。
【０１９４】
解析信号取得デバイス８５０へ入力された解析信号は分岐され、一方は第２の信号プローブ８６６から出力されるとともに、他方はQSFPコネクタ８５６に挿入されたQSFPプラグ７０４に入力される。該解析信号はQSFPケーブル６００を伝送し、QSFPコネクタ２１２に挿入されたQSFPプラグ７０２に入力される。該解析信号は、第１のスイッチ２０４を介して、マザーボード１０２のスロット１０４に挿入される第１のカードエッジ２１０へ入力される。第１のカードエッジ２１０へ入力される電気信号は、マザーボード１０２へ入力される。
【０１９５】
第２の信号プローブ８６６から出力される電気信号は、プロトコルアナライザに入力され、該プロトコルアナライザにより解析される。
【０１９６】
図１８は、通信システムの一実施例（その８）を示す。図１８は、図３に示す通信システムにおいて、dspの通信トラヒックを解析する際に使用する解析信号取得デバイス８５０が示される。解析信号取得デバイス８５０を利用して、第１の信号プローブ８６４、第２の信号プローブ８６６から電気信号を取得する。
【０１９７】
図１８に示される例では、図３を参照して説明した第１の拡張カード２００と第２の拡張カード４００との間は、図１４を参照して説明した解析信号取得デバイス８５０を介して接続される。
【０１９８】
MPOコネクタ２０８は、光ケーブル５００と接続されるMPOコネクタ５０２と接続される。QSFPコネクタ８５６は、光ケーブル５００と接続されるAOCプラグ６０４と接続される。
【０１９９】
MPOコネクタ４０８は、光ケーブル５００と接続されるMPOコネクタ５０２と接続される。QSFPコネクタ８５８は、光ケーブル５００と接続されるAOCプラグ６０４と接続される。
【０２００】
解析信号取得デバイス８５０を介して、第１の拡張カード２００と第２の拡張カード４００との間を接続することにより、解析信号取得デバイス８５０を利用して、第１の信号プローブ８６４、第２の信号プローブ８６６から電気信号を取得することができる。このため、dspの通信トラヒックを解析することができる。
【０２０１】
例えば、マザーボード１０２により生成される解析信号は、該マザーボード１０２のスロット１０４に挿入される第１のカードエッジ２１０から第１のスイッチ２０４へ入力される。該解析信号は、第１のスイッチ２０４から、第１の光モジュール２０６へ入力され、光信号へ変換される。該光信号は、MPOコネクタ２０８から出力される。該光信号はMPOコネクタ５０２に入力され、光ケーブル５００を伝送し、QSFPコネクタ８５６に挿入されたAOCプラグ６０４に入力され、電気信号へ変換される。該電気信号は、解析信号取得デバイス８５０へ入力される。
【０２０２】
解析信号取得デバイス８５０へ入力された電気信号は分岐され、一方は第１の信号プローブ８６４から出力されるとともに、他方はQSFPコネクタ８５８に挿入されたAOCプラグ６０４に入力され、光信号へ変換される。該光信号は光ケーブル５００を伝送し、AOCプラグ５０２から出力される。該光信号は、MPOコネクタ４０８を介して、第２の光モジュール４０６へ入力され、電気信号へ変換される。該電気信号は、第２のスイッチ４０４を介して、マザーボード３０２のスロット３０４に挿入される第２のカードエッジ４１０へ入力される。第２のカードエッジ４１０へ入力される電気信号は、マザーボード３０２へ入力される。
【０２０３】
第１の信号プローブ８６４から出力される電気信号は、プロトコルアナライザに入力され、該プロトコルアナライザにより解析される。
【０２０４】
また、例えば、マザーボード３０２により生成される解析信号は、該マザーボード３０２のスロット３０４に挿入される第２のカードエッジ４１０から第２のスイッチ４０４へ入力される。該解析信号は、第２のスイッチ４０４から、第２の光モジュール４０６へ入力され、光信号へ変換される。該光信号は、MPOコネクタ４０８から出力される。該光信号はMPOコネクタ５０２から光ケーブル５００を伝送し、QSFPコネクタ８５８に挿入されたAOCプラグ６０４に入力され、電気信号へ変換される。該電気信号は、解析信号取得デバイス８５０へ入力される。
【０２０５】
解析信号取得デバイス８５０へ入力された電気信号は分岐され、一方は第２の信号プローブ８６６から出力されるとともに、他方はQSFPコネクタ８５６に挿入されたAOCプラグ６０４に入力され、光信号へ変換される。該光信号は光ケーブル５００を伝送し、AOCプラグ５０２から出力される。該光信号は、MPOコネクタ２０８を介して、第１の光モジュール２０６へ入力され、電気信号へ変換される。該電気信号は、第１のスイッチ２０４を介して、マザーボード１０２のスロット１０４に挿入される第１のカードエッジ２１０へ入力される。第１のカードエッジ２１０へ入力される電気信号は、マザーボード１０２へ入力される。
【０２０６】
第２の信号プローブ８６６から出力される電気信号は、プロトコルアナライザに入力され、該プロトコルアナライザにより解析される。
【０２０７】
図１９は、dspの通信トラヒックを解析する際の通信システムの一例を示す。
【０２０８】
図１９に示される例では、QSFPプラグ７０２と第１のスイッチ２０４との間のデータ信号線に、プローブ線が半田付けされる。トラヒックを解析する際には、プローブ線から信号を取り込む。
【０２０９】
例えば、QSFPケーブル６００からQSFPコネクタ２１２に挿入されるQSFPプラグ７０２へ入力されるデータ信号は、第１のスイッチ２０４へ入力されるとともに、半田付けされたプローブ線へ入力される。
【０２１０】
第１のスイッチ２０４へ入力されたデータ信号は、第１のカードエッジ２１０からマザーボード１０２へ入力される。
【０２１１】
プローブ線へ入力されるデータ信号は、プロトコルアナライザに入力され、該プロトコルアナライザにより解析される。
【０２１２】
また、マザーボード１０２からのデータ信号は、第１のカードエッジ２１０からQSFPコネクタ２１２に挿入されるQSFPプラグ７０２へ入力されるとともに、半田付けされたプローブ線へ入力される。
【０２１３】
QSFPプラグ７０２へ入力されるデータ信号は、QSFPケーブル６００へ入力される。
【０２１４】
プローブ線へ入力されるデータ信号は、プロトコルアナライザに入力され、該プロトコルアナライザにより解析される。
【０２１５】
しかし、この方法では、データが差動信号であり、且つマルチレーン（Ｎレーン）である場合には、２Ｎ本について半田付けが必要になる。さらに、アナライザ側の結線についても、各レーンについて対応付けが必要となる。このため、非常に煩わしい作業が必要となる。
【０２１６】
上述した実施例によれば、光通信経路を２つに分割し、一方に光信号を電気信号に変換する光モジュールなどのデバイスと接続し、該デバイスはインターポーザなどの電気信号を取り出すデバイスに接続され、該デバイスから電気信号が取り出される。電気信号を取り出すことにより、プロトコル解析が可能となる。
【０２１７】
電気信号を取り出すデバイスは、電気信号を光信号に変換する光モジュールなどのデバイスと接続され、該デバイスにより光信号に戻され、他方の光通信経路に接続される。
【０２１８】
２つの光モジュール、電気信号を取り出すデバイスも通信データに影響を与えないように構成される。
【０２１９】
従って、通信データに影響を与えること無く、光通信経路における通信データを取り込み、電気信号に変換することでプロトコル解析を可能にできる。
【０２２０】
本発明は特定の実施例を参照しながら説明されてきたが、各実施例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０２２１】
１００  第１のホストPC
２００  第１の拡張カード
２０２  第１のボード
２０４  第１のスイッチ
２０６  第１の光モジュール
２０８  MPOコネクタ
２１０  カードエッジ
２１２  QSFPコネクタ
３００  第２のホストPC
４００  第２の拡張カード
４０２  第２のボード
４０４  第２のスイッチ
４０６  第２の光モジュール
４０８  MPOコネクタ
５００  光ケーブル
５０２  MPOコネクタ
５０４  MPOコネクタ
６００  QSFPケーブル
６０２  AOCプラグ
６０４  AOCプラグ
８００  インターポーザ
８５０  解析信号取得デバイス
８５２  MPOコネクタ
８５４  MPOコネクタ
８５６  QSFPコネクタ
８５８  QSFPコネクタ
８６０  第５の光モジュール
８６２  第６の光モジュール
８６４  第１の信号プローブ
８６６  第２の信号プローブ
８６８  第５のカードエッジ
８７０  スロット
【先行技術文献】
【特許文献】
【０２２２】
【非特許文献１】Agilent U4301A Datasheet (PCI Express3.0 Analyzer Module) Agilent Technologies, Inc.2012, Published in USA, March 26, 2012
【図１】
2015005232.tif 000003
【図２】
2015005232.tif 000004
【図３】
2015005232.tif 000005
【図４】
2015005232.tif 000006
【図５】
2015005232.tif 000007
【図６】
2015005232.tif 000008
【図７】
2015005232.tif 000009
【図８】
2015005232.tif 000010
【図９】
2015005232.tif 000011
【図１０】
2015005232.tif 000012
【図１１】
2015005232.tif 000013
【図１２】
2015005232.tif 000014
【図１３】
2015005232.tif 000015
【図１４】
2015005232.tif 000016
【図１５】
2015005232.tif 000017
【図１６】
2015005232.tif 000018
【図１７】
2015005232.tif 000019
【図１８】
2015005232.tif 000020
【図１９】
2015005232.tif 000021